【事件の表示】
　特願２００１−３０７００８「無線基地局」拒絶査定不服審判事件〔平成１５年４月１８日出願公開，特開２００３−１１６１６４〕について，次のとおり審決する。
【結　論】
　本件審判の請求は、成り立たない。
【理　由】
第１　手続きの経緯  
　 
　本願は，平成１３年１０月３日の出願であって，平成１８年１０月１８日付けで拒絶査定がなされ，これに対して同年１１月２４日に拒絶査定に対する審判が請求されるとともに，同年１２月２５日付けで手続補正がなされたものである。  
　 
　 
第２　平成１８年１２月２５日付け手続補正についての補正却下の決定  
　  
［補正却下の決定の結論］  
　 
　平成１８年１２月２５日付け手続補正（以下，「本件補正」という。）を却下する。  
　 
［補正却下の決定の理由］  
　 
（１）本件補正の内容 
　本件補正により，特許請求の範囲は次のとおり補正された。 
　 
「【請求項１】 
端末に無線リンクで接続可能な複数の無線基地局と，前記端末の位置を推定する測位サーバとがネットワークで接続され，予め設定された複数の領域からなるサービスエリア内における前記端末の位置を推定する測位システムを構成する無線基地局であって， 
前記端末との通信を行う送受信部から構成される第１の無線系と， 
前記測位サーバから得られる情報に基づいて前記位置を推定する端末から送信された信号を受信する受信部から構成される前記第１の無線系とは系統が異なる第２の無線系とを有することを特徴とする無線基地局。」 
　 
　上記補正は，本件補正前の請求項７に記載された「前記測位サーバから得られる情報に基づいて前記位置を推定する端末から送信された信号を受信する受信部から構成される第２の無線系」について，「前記第１の無線系とは系統が異なる」との限定を付加するものであるから，本件補正は，特許法第１７条の２第４項第２号の特許請求の範囲の減縮を目的とするものに該当する。  
　 
　そこで，本件補正後の請求項１に記載された発明（以下，「本願補正発明」という。）が特許出願の際独立して特許を受けることができるものであるか（特許法第１７条の２第５項において準用する同法第１２６条第５項の規定に適合するか）否かについて以下検討する。  
　 
　 
（２）刊行物 
　原査定の拒絶の理由に引用された，本願出願日前に頒布された刊行物である国際公開第９９／１８７４７号（１９９９年４月１５日公開，以下，「刊行物」という。）には，図面とともに，以下の事項（ア）〜（ウ）が記載されている。 なお，日本語訳は，対応する特表２００１−５１９６３６号公報から引用した文章に基づき，下線箇所のみを当審において作成した。下線は当審にて付与したものである。 
　 
（ア）「An object of the invention is therefore to provide a solution by means of which a terminal can be accurately located and which solves the prior art problems. This is achieved by the method of the type described in the introduction, which is characterized in that to each point on the digital map is added a model of the channel parameters of a signal to be transmitted from the point, and that the channel parameters which are estimated from the signal of the terminal are compared with the parameters of the different points on the map, and the terminal is located on the basis of the comparison.  
　 
The invention also relates to a cellular radio system comprising in each cell at least one base station communicating with terminals within its area, and which base station is arranged to measure channel parameters from a signal transmitted by the terminals, and in which system the coverage area of each base station is modelled by a digital map. The cellular radio system of the invention is characterized in that the system comprises means for maintaining the digital map, in which means information is added about a channel parameter estimate of a signal to be transmitted from each point on the digital map, and that the system comprises the means for comparing the channel parameters estimated from the signal of the terminal with the parameters estimated at different points on the map, and means for locating the terminal on the basis of the comparison.  
　 
The invention is based on the idea that when a terminal is situated at different locations within a coverage area, the channel parameters, such as the impulse response, of the signal of the terminal vary depending on the location. Modern computers can profile the geographical location by digital maps to which it is possible to add information about buildings, routes and geography within the area, for example. It is possible to make these maps to the desired accuracy. Naturally, the more accurate the map, the large amount of computer capacity required in its processing. In the solution of the invention, information is added to each point on the map about the types of channel parameters typically included in the signal that is transmitted by the terminal situated at the point. In a preferred embodiment of the invention, the means for maintaining the map and performing calculation are situated in the base station, although they can also be situated in some other parts of the system. 」（第１ページ第２８行〜第２ページ第２７行） 
　 
（訳） 
本発明の目的は，したがって，端末の位置を正確に決定でき，従来技術の問題を解決できるような解決方法を提供することである。このことは，導入部で説明されたタイプの方法によって実現できる。その方法の特徴は，デジタルマップ上の各地点に，その地点から送信される信号のチャネル・パラメータのモデルが加えられ，信号から推定された，端末のチャネル・パラメータは，デジタルマップ上の各地点のパラメータと比較され，端末の位置は，その比較をもとに決定されるという点にある。 
　 
本発明は，また，エリア内の端末と交信する基地局を少なくとも一つ，各セル内に持ち，その基地局は端末から送信される信号からチャネル・パラメータを測定し，また，そのシステム内の，それぞれの基地局がカバーするエリアはデジタルマップによってモデル化されているセルラー無線システムに関する。本発明のセルラー無線システムは，そのシステムが，デジタルマップを維持する手段を含んでいる点にあり，その手段により，デジタルマップ上の各地点から送信される信号のチャネル・パラメータを推定するための情報が加えられ，また，システムが，端末の信号から推定されたチャネル・パラメータを，マップ上の異なる地点で推定されたパラメータと比較するための手段と，その比較をもとにして，端末の位置を決定するための手段とを，含んでいる点を特徴としている。 
　 
本発明は，端末がカバーエリア内の異なる位置にある場合，インパルス応答のようなチャネル・パラメータは，その位置に応じて，変化するという考えに，基づいている。現代のコンピュータは，デジタルマップによって，地理的な位置を描くことができ，例えば，エリア内の，建造物，交通ルートおよび地理についての情報をそのマップに付け加えることは可能である。これらのマップを望む程度にまで，正確にすることは可能である。当然，マップが正確になればなるほど，その処理に，ますます大きな容量のコンピュータが必要とされる。本発明の解決法では，ある地点に存在する端末から送信された信号の中に一般的に含まれるチャネル・パラメータのタイプについての情報を，マップ上のその地点にそれぞれ付け加える。本発明の望ましい実施態様においては，マップを維持し，計算を実行する手段は，基地局の中に置かれるが，もちろん，それらを，システムの他の部分に配置することも可能である。 
　 
（イ）「The method of the invention is suitable for use in any cellular radio system in which a base station measures the channel parameters, such as the impulse response, of the signal of a terminal. The impulse response measured in each base station can also be two-dimensional, in which case the time spread and the directions of arrival of the signals are estimated. In addition, the channel parameters include the dynamics of the impulse response, which can be modelled by the Doppler spread, for example. Let us first study Figure 1 illustrating an example of a cellular radio system to which the method of the invention can be applied. The figure presents a subscriber terminal 100 having a bi-directional connection 102 with a base station 104 that forwards terminal traffic via a base station controller 106 to other parts of a network 108. The example of the figure also presents two other base stations 110 and 112. These base stations do not have an actual traffic channel connection with the terminal 100, but they can nevertheless receive a signal 114,116 transmitted by the terminal and measure the distance from the terminal to the base station by means of the signal. Correspondingly, the terminal can receive a signal 118, 120, for example a pilot signal, from the base stations and determine the distance to these base stations. By means of the three base stations 104,110 and 112 the terminal can be roughly located by means of the prior art methods, and this information can be used as an initial value of the method of the invention.  
　 
In the solution of the invention, the coverage area of each base station is modelled by a digital map. Digital maps have previously been used for specifying base station coverage areas and, consequently, cell sizes in connection with the installation and modification operations of a cellular radio network system. The maps comprise information about buildings, routes and terrain obstructions within the area, from the viewpoint of radio waves.  
　 
Figure 2 illustrates an example of part of a simplified digital map. The figure shows a section of the layout of a town, its buildings and streets. Naturally, the actual digital map often comprises a much wider area and may also comprise other information besides the layout. In the solution of the invention, the map may comprise information about the maximum speed in all or major streets 200 to 208, for example.  
　 
In the solution of the invention, information is added to each point on the digital map about the types of channel parameters typically included in the signal that is transmitted by the terminal situated at said point. In a preferred embodiment of the invention, a method known as ray tracing is used for estimating the channel parameters, i. e. typically the impulse response, of the signal to be transmitted from each point on the digital map. The ray tracing method is a simulation calculation method known to those skilled in the art, which method is particularly used in telecommunication applications for planning a cellular network. The channel parameters at each point on the digital map can be predetermined and stored in a memory table. In the localization of the terminal, the parameters estimated from the signal of the terminal are compared with the values in the memory. 」（第３ページ第１２行〜第４ページ第２２行） 
　 
（訳）　本発明の方法は，インパルス応答のような，端末の信号のチャネル・パラメータを基地局が測定する，どのセルラー無線システムにおいても，使用することができる。それぞれの基地局で測定されるインパルス応答は，また，二次元的である場合もある。その場合は，信号の到着の時間的な拡散と方角が推定される。それに加えて，チャネル・パラメータはインパルス応答の力学を含む。インパルス応答は，たとえば，ドップラー拡散によってモデル化される。まず初めに，図１を見てみよう。図１は，本発明が適用されるセルラー無線システムの例を図解している。
図１は，基地局104との双方向接続102を有する加入者端末100を示している。基地局104は，基地局コントローラ106をとおして，端末の通信をネットワーク108の他の部分に転送している。
　 
　本発明の解決法においては，それぞれの基地局のカバーするエリアは，デジタルマップによってモデル化されている。デジタルマップは，以前より基地局のカバーするエリアを指定するために使われていて，その結果，セルラー無線ネットワークシステムの設立と修正作業との関係で，セルのサイズを指定することに使われている。デジタルマップは電波の観点からの，エリア内の建造物，交通ルートおよび地形の障害物についての情報を有している。 
　 
　図２は，単純化されたデジタルマップの一部の例を示している。その図は，町，建物，通りの見取り図の一部を表している。当然，実際のデジタルマップは，しばしば，ずっと広いエリアから成り立ち，見取り図以外の他の情報も，含んでいるだろう。本発明の解決法では，デジタルマップに，すべての通り，もしくは，主要な通り200から208における，最大速度についての情報を含んでいることもあるだろう。 
　 
　本発明の解決法においては，デジタルマップ上の各地点に，それぞれの地点で端末から送信される信号に一般的に含まれる，チャネル・パラメータのタイプについての情報が付け加えられる。本発明の望ましいでは，デジタルマップ上の各地点から送信される信号のチャネル・パラメータ，例えば典型的にはインパルス応答であるが，を推定するために，レイトレーシングとして知られる方法が使われる。レイトレーシングは，当業者にはよく知られているシミュレーション計算法である。その方法は，セルラーネットワークを計画するための，テレコミュニケーションのアプリケーションにおいて特に使われている。デジタルマップ上の各地点における，チャネル・パラメータは，前もって決定され，メモリー・テーブルの中に保存される。端末の位置を決定する場合，端末からの信号から推定された，パラメータは，メモリーの中の値と比較される。 
　 
（ウ）「Let us next study the method of the invention by means of a flow diagram presented in Figure 3 and also with reference to Figure 1. First, the base station 104 receives a signal from the terminal 100 in phase 300. In phase 302, the base station 104 measures the channel parameters, i. e. typically the impulse response from the signal. In addition, the base station may estimate the direction (s) of arrival of the signal (s). Next, the base stations 110 and 112 estimate the rough location of the terminal 100 by using the prior art methods. Next, in phase 306, one or more smaller areas are marked off on the map on the basis of the rough location estimate, the close search being directed to these marked-off areas.  
　 
Next, in phase 308, the values measured from the received signal are compared with the values found on the map by means of a suitable dis- tance criterion. Since all parameters are bound by the location (x, y), a feasible criterion can be presented as follows:  
(x*y*)=argmin (x,y)∈(X,Y) D(y(t;x,y),ymeas(t)) 
where D is a suitable distance, for example the euclidean distance, y (t; x, y) comprises the impulse response model of the direction of arrival of the signal and of the location (x, y) to be searched, and Ymeas comprises the measured channel parameters.  
　 
In phase 310, the probable location of the terminal is determined on the basis of the comparison. The map may, of course, include multiple loca- tions with equal parameters. This is checked in phase 312. If only one location with the corresponding parameters is detected, the search can be concluded. If more than one location was detected, the terminal can be located by means of information about the previous locations of the terminal. Furthermore, the speed of the terminal can be used in the localization, provided that the digital map comprises information about the typical speeds of the routes of the base station and that the base station estimates the speed of the terminal from the signal of the terminal. In phase 314, a conclusion can be drawn between the detected locations on the basis of the information.  
　 
Let us further study Figure 4 illustrating an example of part of a simplifie digital map. Let us assume that a base station is situated at a point 400 and a terminal communicating with the base station is situated at a point 402. In other words, the base station receives a signal from the terminal and measures the channel parameters of the signal in the same manner as described above. Furthermore, the base station roughly locates the terminal possibly by means of other base stations (not shown in the figure), the location area being illustrated in the figure with a marked-off area 404. The base station carries out a closer search within the area 404 on the digital map. If more than one feasible location area is detected for the terminal, the base station may then utilize, for example, information showing the maximum speed in a street 206 and also indicating that the terminal was situated at a certain known point in connection with the previous measurement. Using this information, the base station is able to locate the terminal more accurately.  
　 
In a preferred embodiment of the invention, the means for implementing the method of the invention are situated in the base station. In the solution of the invention, the means may also be situated in some other parts of the system, in the base station controller, for example. Let us next study Figure 5 showing a block diagram that illustrates the structure of a base station of the system according to the invention from the viewpoint of reception. The base station comprises an antenna 500 for receiving a signal from a terminal. The signal received by the antenna is applied via a filter 502 to radio frequency parts 504 transmitting the signal from a radio frequency to a base band or to an intermediate frequency. The signal so obtained is forwarded to an A/D converter 506 converting the signal into digital form by sampling it according to the prior art. The sampled signal is forwarded to detection means 508 estimating the channel parameters, such as the impulse response, and detecting the signal. The base station further comprises a control unit 510 controlling the operation of the other blocks. The control unit is typically implemented by a processor or by discrete logic circuits and software.  
　 
Besides the control means 510, the base station of the system of the invention comprises memory means 512 maintaining a digital map and including information about the channel parameter estimate of the signal to be transmitted from each point of the digital map. The map also includes information about the position of buildings, other obstructions and streets within the coverage area of the base station. The memory means can be implemented by ordinary memory circuits operating under the control of the control unit. The control unit 510 of the base station compares the channel parameters that are estimated from the signal of the terminal with the parameters that are estimated at different points on the map which is in the memory means 512, and locates the terminal on the basis of the comparison.  
　 
The control means 510 of the base station of the system are able to determine the channel parameters at each point on the digital map by the ray tracing technique and to store the values in the memory means 512. The actual calculation can also be carried out in an external computer that is possibly used by several base stations, and the values can be transferred to the memory means of the base station.  
　 
The terminal 100 of the system is arranged to measure in accordance with the prior art the intensity and time delay of the signals received from different base stations. The terminal 100 and the base station 104 are arranged to determine a rough location estimate of the terminal on the basis of the measurement results. The most accurate initial estimate is obtained if the measurement results of both the terminal and the base station are simultaneously utilized.  
　 
The base stations 110,112 of the system, which are closest to the terminal 100, are arranged to measure in accordance with the prior art the intensity and time delay of the signal received from the terminal, and the base station 104 is arranged to determine a rough location estimate of the terminal on the basis of the measurement results, and the control means 510 and the memory means 512 of the base station 104 use the rough estimate in locating the terminal 100. 」（第４ページ第３０行〜第７ページ第１４行） 
　 
（訳）　次に，図３のフローチャートと図１を参照しながら，本発明の方法を詳しく見てみよう。まず，基地局104は，段階300で，端末100より，信号を受信する。段階302では，基地局 104は，信号からチャネル・パラメータ，例えば典型的には，インパルス応答だが，を測定する。さらに，基地局は，信号がどこからやってきた方向を推定することもある。つぎに，基地局110と112は従来技術の方法を使って，端末100の大まかな位置を推定する。そして，段階306では，その大まかな位置の見積もりに基づいて，デジタルマップ上で一つかまたは一つ以上のエリアが選び出され，もっと密な検索がこれらの選ばれたエリアに対してなされる。 
　 
　続いて，段階308では，受信された信号から測定された値が，適切な距離基準を使って，デジタルマップ上の値を比較される。すべてのパラメータは，位置(x,y)によって，縛られるので，適切な基準は，以下のようになるだろう。 
　(x*y*)=argmin (x,y)∈(X,Y) D(y(t;x,y),ymeas(t)) 
　上の式では，Dは適切な距離を表し（例えば，ユークリッド距離），y(t;x,y)は，信号の到着方向のインパルス応答モデルを表し，ymeasは，測定されたチャネル・パラメータを表す。 
　 
　段階310では，端末の
あり得る
　 
　単純化したデジタルマップの一部の例を示した図４を詳しく見てみよう。基地局が地点400にあり，その基地局と交信する端末が地点402にあると仮定してみよう。言い換えれば，その基地局は，端末から信号を受信し，上記と同じ方法で，信号のチャネル・パラメータを測定する。さらに，基地局は，大まかに，他の基地局（図に示されていないが）を利用することで，端末の位置を決める。その位置が決められたエリアは，図の中では，印が付けられた部分，エリア404で図解されている。基地局は，デジタルマップ上のエリア404の中で，さらに細かい検索を行う。もし，一つ以上の
あり得る
　 
　本発明の望ましい実施態様では，本発明の方法を実施する手段は，基地局に置かれる。本発明の解決法では，例えば，基地局コントローラのような，システム内の他の部分に置くこともあり得る。次に，受信の観点から，本発明に従ったシステムの基地局の構造を説明したブロック図である図５を詳しく見てみよう。基地局は，端末から信号を受信するためのアンテナ500をもっ ている。アンテナによって受信された信号は，フィルター502を経由し，無線周波数部504に向けられる。無線周波数部は，無線周波数からベースバンドもしくは，中間周波数までの信号を送り出す。そうやって得られた信号は， A/Dコンバータ506に転送され，そこで従来の技術に従って，サンプリングすることで，デジタルの形に変えられる。サンプリングされた信号は，検知手段に送られ，インパルス応答のようなチャネル・パラメータを推定し，信号を検知する。基地局はさらに，他のブロックの動作をコントロールするコントロール・ユニット510をもっている。コントロール・ユニットは，一般的には，プロセッサーや綿密な論理サーキットやソフトウェアによって，実現されている。 
　 
　コントロール手段510のほかに，本発明のシステムの基地局は，メモリー手段512をもっている。メモリー手段は，デジタルマップを維持しデジタルマップ上の各地点から送信される信号のチャネル・パラメータを推定するための情報を保持している。デジタルマップは，また，基地局のカバーするエリア内の建造物や他の障害物，通りについての情報も保持している。メモリー手段は，コントロールユニットに制御されて機能する普通のメモリーサーキットによって，実現可能である。基地局のコントロールユニット510は，端末の信号から推定されたチャネル・パラメータと，メモリー手段512の中にあるデジタルマップ上の異なる地点でのチャネル・パラメータとを比較し，その比較をもとに，端末の位置を決定する。 
　 
　本システムの基地局のコントロール手段510は，レイトレーシングの技術を使ってデジタルマップの各地点のチャネル・パラメータを決定し，メモリー手段512の中にその値を保存することができる。実際の計算は，複数の基地局によって使われているかもしれない外部のコンピュータが実行し，その計算値を基地局のメモリー手段に転送することも可能である。 
　 
　本システムの端末100は，従来の技術に従って，異なる基地局から受信した，信号の強度と時間の遅延を測定するように，設定されている。端末100と基地局104は，測定結果をもとに，端末の大まかな位置の見積もりを決めるように設定されている。最も正確な最初の見積もりは，端末と基地局の測定結果が同時に利用された場合に，得られる。 
　 
　端末100に非常に近い，システムの基地局110，112は，従来技術に従って，端末から受信する信号の強度と時間の遅延を測定するように設定されている。基地局104は，測定結果を基に端末の位置を大まかに見積もるように，設定されていて，基地局104の，コントロール手段510とメモリー手段512は，端末100の位置を決定するのに，その大まかな見積もりを利用する。 
　 
　 
　したがって，上記刊行物には，以下の発明（以下，「刊行物発明」という。）が記載されている。  
　  
「端末の位置を正確に決定する方法を提供するためのセルラー無線システムに含まれる基地局（１０４）であって， 
基地局（１０４）は，端末との双方向接続を有し，また，基地局コントローラをとおして，端末の通信をネットワークの他の部分に転送しており，他の基地局（１１０，１１２）は，端末から送られた信号を受信し，信号を用いることで，端末から，基地局までの距離を測定するものであり， 
セルラー無線システムは，カバーするエリア内の端末と交信する基地局（１０４）を少なくとも一つ持ち，それぞれの基地局（１０４）がカバーするエリアはデジタルマップによってモデル化され，デジタルマップ上の各地点における，チャネル・パラメータは，前もって決定され，基地局（１０４）のメモリー手段の中に保存されており， 
基地局（１０４）は，アンテナ，フィルタ，無線周波数部を介して端末からの信号を受信し， 
基地局（１０４）は，受信した信号から検知手段によりチャネル・パラメータを測定し， 
基地局（１０４，１１０，１１２）は端末の大まかな位置を推定し，
基地局（１０４）のコントロールユニットとメモリー手段は，端末のあり得る位置を決定するのに，その大まかな見積もりを利用し，
大まかな位置の見積もりに基づいて，デジタルマップ上で一つかまたは一つ以上のエリアが選び出され，もっと密な検索がこれらの選ばれたエリアに対してなされ， 
受信された信号から測定されたチャネル・パラメータが，基地局（１０４）のメモリー手段の中のデジタルマップ上の異なる地点でのチャネル・パラメータと比較され， 
端末のあり得る位置が，比較を基に，決定され， 
基地局（１０４）に置かれた，デジタルマップを維持し，計算を実行する手段は，基地局コントローラのような，システム内の他の部分に配置することも可能である， 
基地局。」 
　 
　 
（３）対比  
　本願補正発明と刊行物発明とを対比する。 
　 
　刊行物発明のセルラー無線システムにおいて，「基地局（１０４）」は「端末」と双方向接続を有し，他の「基地局（１１０，１１２）」は該端末から送られた信号を受信可能であるから，刊行物発明の「端末」及び「基地局（１０４，１１０，１１２）」は，それぞれ本願補正発明の「端末」及び「端末に無線リンクで接続可能な複数の無線基地局」に相当する。 
　 
　刊行物発明のセルラー無線システムにおいて，複数の無線基地局（基地局１０４，１１０，１１２）がネットワークで接続されていることは明らかであり，また，端末との双方向接続を有する無線基地局（基地局１０４）のカバーするエリアは，デジタルマップによってモデル化されており，該セルラー無線システムは，大まかな位置の見積もりに基づいて，デジタルマップ上で一つかまたは一つ以上のエリアを選び出し，選ばれたエリアに対してもっと密な検索を行うことにより端末の位置を決定するものであるから，刊行物発明の「無線基地局（基地局１０４）」は，本願補正発明の「端末に無線リンクで接続可能な複数の無線基地局と，前記端末の位置を推定する測位サーバとがネットワークで接続され，予め設定された複数の領域からなるサービスエリア内における前記端末の位置を推定する測位システムを構成する無線基地局」と，「端末に無線リンクで接続可能な複数の無線基地局」「がネットワークで接続され，予め設定された複数の領域からなるサービスエリア内における前記端末の位置を推定する測位システムを構成する無線基地局」である点で一致する。 
　 
　刊行物発明の無線基地局（基地局１０４）のアンテナ，フィルタ，及び無線周波数部を含む構成は，チャネル・パラメータの測定に用いる信号を端末から受信する際に用いられるから，本願補正発明の「前記位置を推定する端末から送信された信号を受信する受信部から構成される前記第１の無線系とは系統が異なる第２の無線系」と，「前記位置を推定する端末から送信された信号を受信する受信部から構成される」「第２の無線系」である点で一致する。 
　 
　 
したがって，本願補正発明と刊行物発明は，以下の点で一致ないし相違する。  
　 
＜一致点＞  
「端末に無線リンクで接続可能な複数の無線基地局がネットワークで接続され，予め設定された複数の領域からなるサービスエリア内における前記端末の位置を推定する測位システムを構成する無線基地局であって， 
前記位置を推定する端末から送信された信号を受信する受信部から構成される第２の無線系を有することを特徴とする無線基地局。」である点。 
　 
　 
＜相違点１＞
　測位システムについて，本願補正発明では，「複数の無線基地局と，前記端末の位置を推定する測位サーバとがネットワークで接続され」ているのに対して，刊行物発明では，複数の無線基地局と，基地局コントローラとがネットワークで接続されている点。
　
＜相違点２＞
　位置を推定する端末について，本願補正発明では，「前記測位サーバから得られる情報に基づいて前記位置を推定する端末」であるのに対して，刊行物発明においては，「前記測位サーバから得られる情報に基づいて前記位置を推定する端末」であるとは記載されていない点。 
　 
＜相違点３＞  
　本願補正発明では，「前記端末との通信を行う送受信部から構成される第１の無線系」を備え，「第２の無線系」は「前記第１の無線系とは系統が異なる」のに対して，刊行物発明では，「前記端末との通信を行う送受信部から構成される第１の無線系」であって第２の無線系とは系統が異なる無線系，を備えているのか否か明らかではない点。 
　 
　 
（４）当審の判断  
　各相違点について検討する。  
　 
＜相違点１について＞  
　刊行物発明の「基地局コントローラ」は，デジタルマップを維持し，計算を実行する手段を備えても良いとされており，該計算とは，端末より受信した信号から測定されたチャネル・パラメータと，メモリー手段に保存されていた，デジタルマップ上の異なる地点でのチャネル・パラメータとを比較し，その比較を基に端末のあり得る位置を決定する計算，を含むものと解されるから，刊行物発明の「基地局コントローラ」に，例えば，前記コントロールユニットや前記メモリー手段のうち，デジタルマップの維持，チャネル・パラメータの比較，比較結果に基づく端末位置の決定を実行する部分を配置して，本願補正発明の「前記端末の位置を推定する測位サーバ」とすることは，当業者が容易に想到し得たことである。 
　
＜相違点２について＞
　本願補正発明における「前記測位サーバから得られる情報に基づいて前記位置を推定する端末」という文言について，「前記測位サーバから得られる情報」が具体的にどのような情報であるのか，また，当該情報「に基づいて前記位置を推定する」とは，当該情報と推定とがどのような関係にあることを規定しているのか，請求項１には，特定する記載がない。 
　 
　また，発明の詳細な説明の記述を参酌すると，本願明細書の段落【００３７】〜【００３９】には，測位サーバから送信された端末ＩＤを含む測定要求メッセージを受信した無線基地局が，端末ＩＤで識別される端末から送信された位置情報応答メッセージを受信し，測定結果メッセージを端末ＩＤとともに測位サーバへ送信し，測位サーバは測定結果を基に位置推定単位エリア処理を行い，端末が存在すると推定される位置推定単位エリアと端末ＩＤとを含む位置応答メッセージをコンテンツサーバに送信し，コンテンツサーバは位置応答メッセージに含まれる位置推定単位エリアを得ると，位置に応じた情報を端末へ送信することが記載されているから，本願補正発明の「前記測位サーバから得られる情報に基づいて前記位置を推定する端末」とは，測位サーバから得られる，端末を識別する情報あるいは該識別情報を含む制御メッセージに基づいて，位置の推定がなされる端末を意味するものと解される。 
　 
　そして，刊行物発明において，特定端末のあり得る位置を決定するための計算を実行する手段は，基地局コントローラに配置されても良いとされ，前記あり得る位置は，複数の無線基地局（基地局）によって見積もられる当該端末の大まかな位置を利用して決定されるものであるから，刊行物発明の無線基地局及び基地局コントローラは，端末を識別する情報あるいは該識別情報を含む制御メッセージを送信または受信していると解され，さらに，刊行物発明の「基地局コントローラ」を本願補正発明の「測位サーバ」とすることが容易に想到し得たことは上記＜相違点１について＞に記載したとおりであるから，刊行物発明において位置を推定する端末を，「前記測位サーバから得られる情報に基づいて前記位置を推定する端末」とすることは，当業者が容易になし得たことである。 
　 
＜相違点３について＞  
　刊行物発明の無線基地局（基地局１０４）は，端末との間に双方向接続を有するものであるから，本願補正発明の「前記端末との通信を行う送受信部から構成される」無線部を実質的に備えているといえる。
　また，無線基地局において，移動端末の位置を検出するための信号を該移動端末から受信するための無線系を，該移動端末との間で信号の送受信を行うための無線系とは系統が異なる無線系として設けることは周知（例えば，特開２０００−１６５３２１号公報の段落【００３８】〜【００５０】には，アンテナ２０１を信号の送信と受信に共用する一方，通信端末装置の位置の検出はアンテナ２１２〜２１４で受信された信号に基づいて行うことが記載されており，特開昭５３−１０５９０２号公報の第２ページ左上欄第１９行〜第３ページ左上欄第４行には，指向性アンテナＥ２〜Ｅ６は，専ら移動局からの電波を受信して電波の到来方向を判定するために利用され，無指向性アンテナＥ１は，移動局への呼出信号送信と，移動局からの信号受信に兼用されることが記載されている。）であるから，刊行物発明に周知技術を適用して，「前記端末との通信を行う送受信部から構成される第１の無線系」と，前記位置を推定する端末から送信された信号を受信する受信部から構成される「前記第１の無線系とは系統が異なる」第２の無線系とを有する無線基地局とすることは，当業者が容易になし得たことである。 
　 
　 
　そして，本願補正発明のように構成したことによる効果も，上記刊行物発明及び周知技術から予測できる程度のものである。  
　 
　 
　したがって，本願補正発明は，上記刊行物発明及び周知技術に基づいて当業者が容易に発明をすることができたものであるから，特許法第２９条第２項の規定により特許を受けることができない。  
　 
　 
（５）補正却下の決定についてのむすび  
　本願補正発明は，上記「（４）当審の判断」で示したとおり，特許出願の際独立して特許を受けることができないから，本件補正は，平成１８年法律第５５号改正附則第３条第１項によりなお従前の例によるとされる同法による改正前の特許法第１７条の２第５項において準用する同法第１２６条第５項の規定に違反するものであり，同法第１５９条第１項において読み替えて準用する同法第５３条第１項の規定により却下すべきものである。 
　 
　 
第３　本願発明 
　 
　平成１８年１２月２５日付け手続補正は上記のとおり却下されたので，本願の請求項７に係る発明（以下，「本願発明」という。）は，願書に最初に添付された明細書の特許請求の範囲の請求項７に記載された事項により特定される，以下のとおりのものである。  
　 
「【請求項７】　端末に無線リンクで接続可能な複数の無線基地局と，前記端末の位置を推定する測位サーバとがネットワークで接続され，予め設定された複数の領域からなるサービスエリア内における前記端末の位置を推定する測位システムを構成する無線基地局であって， 
　前記端末との通信を行う送受信部から構成される第１の無線系と， 
　前記測位サーバから得られる情報に基づいて前記位置を推定する端末から送信された信号を受信する受信部から構成される第２の無線系とを有することを特徴とする無線基地局。」 
　 
　 
第４　当審の判断 
　 
（１）刊行物発明 
　原査定の拒絶の理由に引用された引用刊行物に関する記載事項は，上記「第２　（２）刊行物」に記載したとおりである。 
　 
（２）対比・判断 
　本願発明は，上記「第２　（１）本件補正の内容」で検討した本願補正発明の「前記測位サーバから得られる情報に基づいて前記位置を推定する端末から送信された信号を受信する受信部から構成される前記第１の無線系とは系統が異なる第２の無線系」について，「前記第１の無線系とは系統が異なる」との限定を省いたものである。 
　 
　そうすると，本願発明の構成要件をすべて含み，さらに他の構成要件を付加したものに相当する本願補正発明が，上記「第２　（４）当審の判断」に記載したとおり，上記刊行物発明及び周知技術に基づいて，当業者が容易に発明をすることができたものであるから，本願発明も，同様の理由により，上記刊行物発明及び周知技術に基づいて，当業者が容易に発明をすることができたものである。 
　 
　 
第５　むすび  
　 
　以上のとおり，本願発明は，上記刊行物発明及び周知技術に基づいて，当業者が容易に発明をすることができたものであるから，特許法第２９条第２項の規定により特許を受けることができない。  
　 
　したがって，本願は，他の請求項について論及するまでもなく，拒絶すべきものである。 
　 
　 
　よって結論のとおり審決する。